(57)【要約】  ＴＦＣ選択装置は、受信データのＣＰＩＣＨシンボルを用いてＳＩＲを計算するＳＩＲ計算部と、前記ＳＩＲに対応するｍ個のＴＦＣであるＳＴＦＣ（ｍ）を求める変換部と、総送信電力の大きさに比例する順序が与えられたＴＦＣの集合であるＴＦＣＳから前記ＳＴＦＣ（ｍ）に対応するＴＦＣを選択し、該ＴＦＣを起点として探索方向信号が示す順序で前記ＴＦＣＳにおけるＴＦＣの総送信電力を計算する総送信電力計算部と、前記起点となるＴＦＣの総送信電力に基づき探索方向信号を生成し、且つ、送信データに適用すべき最適ＴＦＣを前記ＴＦＣＳから選択するＴＦＣ選択部と、を備え、前記ＴＦＣ選択部は、前記送信データに許された総送信電力の最大値以下であり且つ該最大値に最も近似する総送信電力に対応するＴＦＣを最適ＴＦＣとして選択する。
2008078550.tif 000002
【特許請求の範囲】
【請求項１】
受信データのＣＰＩＣＨシンボルを用いてＳＩＲを計算するＳＩＲ計算部と、
前記ＳＩＲに対応するｍ個のＴＦＣであるＳＴＦＣ（ｍ）を求める変換部と、
総送信電力の大きさに比例する順序が与えられたＴＦＣの集合であるＴＦＣＳから前記ＳＴＦＣ（ｍ）に対応するＴＦＣを選択し、該ＴＦＣを起点として探索方向信号が示す順序で前記ＴＦＣＳにおけるＴＦＣの総送信電力を計算する総送信電力計算部と、
前記起点となるＴＦＣの総送信電力に基づき探索方向信号を生成し、且つ、送信データに適用すべき最適ＴＦＣを前記ＴＦＣＳから選択するＴＦＣ選択部と、を備え、
前記ＴＦＣ選択部は、前記送信データに許された総送信電力の最大値以下であり且つ該最大値に最も近似する総送信電力に対応するＴＦＣを最適ＴＦＣとして選択することを特徴とするＴＦＣ選択装置。
【請求項２】
前記ＴＦＣ選択部は、前記起点のＴＦＣの総送信電力が、前記最大値を超える場合は総送信電力が小さくなる順序を示す探索方向信号を生成し、且つ、前記最大値以下である場合は総送信電力が大きくなる順序を示す探索方向信号を生成することを特徴とする請求項１記載のＴＦＣ選択装置。
【請求項３】
前記変換部は、前記ＳＩＲ計算部により算出されたＳＩＲが、あるＳＴＦＣ（ｍ）に対し予め設定されたＡ（ｍ）以上であり、且つ、あるＳＴＦＣ（ｍ＋１）に対し予め設定されたＡ（ｍ＋１）未満となる場合の前記Ａ（ｍ）を検知し、該Ａ（ｍ）に対応するＳＴＦＣ（ｍ）を前記ＳＩＲに対応する前記ＳＴＦＣ（ｍ）として求めることを特徴とする請求項１又は２記載のＴＦＣ選択装置。
【請求項４】
受信データのＣＰＩＣＨシンボルを用いてＳＩＲを計算し、
前記ＳＩＲに対応するｍ個のＴＦＣであるＳＴＦＣ（ｍ）を求め、
総送信電力の大きさに比例する順序が与えられたＴＦＣの集合であるＴＦＣＳから前記ＳＴＦＣ（ｍ）に対応するＴＦＣを選択し、
前記選択したＴＦＣの総送信電力に基づき探索方向信号を生成し、
前記選択したＴＦＣを起点として前記探索方向信号が示す順序で前記ＴＦＣＳにおけるＴＦＣの総送信電力を計算し、
送信データに許された総送信電力の最大値以下であり且つ該最大値に最も近似する総送信電力に対応するＴＦＣを、前記送信データに適用すべき最適ＴＦＣとして前記ＴＦＣＳから選択することを特徴とするＴＦＣ選択方法。
【請求項５】
前記起点のＴＦＣの総送信電力が、前記最大値を超える場合は総送信電力が小さくなる順序を示す探索方向信号を生成し、且つ、前記最大値以下である場合は総送信電力が大きくなる順序を示す探索方向信号を生成することを特徴とする請求項４記載のＴＦＣ選択方法。
【請求項６】
前記計算したＳＩＲが、あるＳＴＦＣ（ｍ）に対し予め設定されたＡ（ｍ）以上であり、且つ、あるＳＴＦＣ（ｍ＋１）に対し予め設定されたＡ（ｍ＋１）未満となる場合の前記Ａ（ｍ）を検知し、該Ａ（ｍ）に対応するＳＴＦＣ（ｍ）を前記ＳＩＲに対応する前記ＳＴＦＣ（ｍ）として求めることを特徴とする請求項４又は５記載のＴＦＣ選択方法。
【請求項７】
コンピュータを請求項１乃至３のいずれか１項に記載のＴＦＣ選択装置として機能させることを特徴とするプログラム。
【発明の詳細な説明】
【技術分野】
【０００１】
本発明は、ＣＤＭＡ方式の移動通信システムにおけるＴＦＣ（Transport Format Combination）選択装置に関する。
【背景技術】
【０００２】
国際標準規格団体３ＧＰＰ（3rd Generation Partnership Project）で規定される移動体通信方式のＷ−ＣＤＭＡ（Wideband Code Division Multiple Access）では、ＤＣＨ（Dedicated Channel）やＥ−ＤＣＨ（Enhanced DCH）といった上りチャネルが定義されている。これらのチャネルに乗せて送信するデータ系列は、複数存在する（データ系列１,２,…,Ｎ）。各データ系列から適切なデータ長のデータ片をそれぞれ切り出し、切り出したデータ片を連結して送信データが形成される。各データ系列から切り出すデータ片の長さの組み合わせが、ＴＦＣと呼ばれる。【０００３】
ＴＦＣには、数十〜数百通りの組み合わせがあり、可能なＴＦＣの集合をＴＦＣＳ（Transport Format Combination Set）と呼ぶ。ＴＦＣＳ及びＴＦＣの例を図７に示す。図示の「Table」は、データ系列数Ｎ＝２（データ系列1,2）、ＴＦＣ数＝９（TFC(1)〜(9)）の例である。【０００４】
移動通信では、一般に、送信データのサイズが大きいほど、高い総送信電力が必要となる。逆に、送信データのサイズが小さいほど、低い総送信電力ですむ。そのため、総送信電力はＴＦＣによって異なる。【０００５】
ところで、ＤＣＨやＥ−ＤＣＨの送信処理は、図５に示す手順300により行われる。まず、ＴＦＣ決定部301が、最大許容送信電力を超えない総送信電力により送信することができるＴＦＣを決定する。送信データ作成部302は、ＴＦＣ決定部301で決定したＴＦＣに基づいて、データ系列１,２,…,Ｎからデータ片をそれぞれ切り出して連結し、これにより送信データを作成する。送信データ処理部303は、作成された送信データに対して、誤り訂正符号化やインターリーブを行う。最後に、周波数変換部304が、送信データ処理部303で処理された送信データを変調し、それを搬送波として出力する。【０００６】
上記一連の処理のうち、ＴＦＣ決定部301は、図６に示す機能を持つ。総送信電力計算部401は、ＴＦＣＳにおける各ＴＦＣの総送信電力を計算する。ＴＦＣ選択部402は、総送信電力が最大許容送信電力を超えないＴＦＣのうち、最も大きい総送信電力を持つＴＦＣを選択する。【０００７】
ＴＦＣの選択に関し、例えば特許文献１に記載の技術がある。同文献には、各トランスポートチャネルにおける所定時間間隔の送信データ長の組み合わせを規定するＴＦＣを選択し、該選択されたＴＦＣに基いて各トランスポートチャネルの送信データを多重して送信する移動端末装置におけるＴＦＣ選択方法が開示されている。
【特許文献１】特開２００３−３０４１９５号公報
【発明の開示】
【発明が解決しようとする課題】
【０００８】
しかしながら、一般に、ＴＦＣＳには数十〜数百個のＴＦＣが存在する。よって、そのようなＴＦＣＳから最適ＴＦＣを選択するために、全てのＴＦＣに対し図６に示すような処理を行うと計算量が膨大になる。その対策として、例えば、図５において、ＴＦＣ決定部301を並列化する回路で手順300を実現した場合、処理時間は短縮するものの、回路が大型化するという不都合がある。回路の大型化は、移動通信の機器にとって望ましくない。【０００９】
本発明は、上記課題に鑑みてなされたものであり、その目的は、移動通信における送信データのＴＦＣを選択するための計算量を削減する技術を提供することにある。
【課題を解決するための手段】
【００１０】
上述の課題を解決するため、本発明に係るＴＦＣ選択装置は、受信データのＣＰＩＣＨシンボルを用いてＳＩＲを計算するＳＩＲ計算部と、前記ＳＩＲに対応するｍ個のＴＦＣであるＳＴＦＣ（ｍ）を求める変換部と、総送信電力の大きさに比例する順序が与えられたＴＦＣの集合であるＴＦＣＳから前記ＳＴＦＣ（ｍ）に対応するＴＦＣを選択し、該ＴＦＣを起点として探索方向信号が示す順序で前記ＴＦＣＳにおけるＴＦＣの総送信電力を計算する総送信電力計算部と、前記起点となるＴＦＣの総送信電力に基づき探索方向信号を生成し、且つ、送信データに適用すべき最適ＴＦＣを前記ＴＦＣＳから選択するＴＦＣ選択部と、を備え、前記ＴＦＣ選択部は、前記送信データに許された総送信電力の最大値以下であり且つ該最大値に最も近似する総送信電力に対応するＴＦＣを最適ＴＦＣとして選択する。【００１１】
本発明に係るＴＦＣ選択方法は、受信データのＣＰＩＣＨシンボルを用いてＳＩＲを計算し、前記ＳＩＲに対応するｍ個のＴＦＣであるＳＴＦＣ（ｍ）を求め、総送信電力の大きさに比例する順序が与えられたＴＦＣの集合であるＴＦＣＳから前記ＳＴＦＣ（ｍ）に対応するＴＦＣを選択し、前記選択したＴＦＣの総送信電力に基づき探索方向信号を生成し、前記選択したＴＦＣを起点として前記探索方向信号が示す順序で前記ＴＦＣＳにおけるＴＦＣの総送信電力を計算し、送信データに許された総送信電力の最大値以下であり且つ該最大値に最も近似する総送信電力に対応するＴＦＣを、前記送信データに適用すべき最適ＴＦＣとして前記ＴＦＣＳから選択するという方法である。【００１２】
本発明に係るプログラムは、コンピュータを上記ＴＦＣ選択装置として機能させるものである。
【発明の効果】
【００１３】
本発明によれば、送信データに適用すべき最適ＴＦＣを選択するのに必要な計算量を削減することができる。これにより、装置の回路規模が大型化することを防ぐことができる。また、プログラムとして実現する場合には処理時間を短縮することができる。
【図面の簡単な説明】
【００１４】
【図１】本発明の実施形態の構成図である。
【図２】本発明の実施例におけるＴＦＣＳに関する説明図である。
【図３】本発明の実施形態の動作に関するフローチャートである。
【図４】本発明の実施形態の動作に関するフローチャートである。
【図５】一般的な移動通信システムにおける送信処理部の構成図である。
【図６】一般的な移動通信システムにおける送信処理部のＴＦＣ決定部の構成図である。
【図７】一般的な移動通信システムにおけるＴＦＣＳに関する説明図である。
【符号の説明】
【００１５】
100  ＴＦＣ選択装置
101  総送信電力計算部
102  ＴＦＣ選択部
103  ＴＦＣＳ
104  総送信電力
105  最適ＴＦＣ
106  探索方向信号
107  ＳＩＲ計算部
108  変換部
109  ＣＰＩＣＨシンボル
110  ＳＩＲ
111  ＳＴＦＣ
【発明を実施するための最良の形態】
【００１６】
次に、本発明の最良の形態について図面を参照して説明する。【００１７】
移動通信では、電波の伝播路の環境が良いほど、サイズの大きいデータを低い送信電力で送信可能である。一方、伝播路環境の状況が悪いほど、サイズの小さいデータを高い送信電力で送信する必要がある。伝播路環境の状況を表す指標の一つに、ＳＩＲ（Signal to Interference Ratio）がある。よって、ＳＩＲとＴＦＣとには相関関係がある。ＳＩＲは、Ｗ−ＣＤＭＡの受信処理の過程で、ＣＰＩＣＨ（Common Pilot Channel）シンボルから算出される。【００１８】
図２に、ＴＦＣＳが設定されたテーブル例としてのTable1を示す。本実施形態では、上述のＳＩＲとＴＦＣとの相関関係を利用して、Table1にあるＴＦＣの中から、送信データに用いる最適なＴＦＣを効率的に探索する。【００１９】
ＴＦＣＳにＪ個のＴＦＣがある場合、それらは、ＴＦＣ（１）、ＴＦＣ（２）、…、ＴＦＣ（ｊ）、…、ＴＦＣ（Ｊ）（ｊ＝１,２,…,Ｊ）と表される。一連のＴＦＣ（ｊ）は、ｊの値が大きくなるにつれて、すなわち昇順に、総送信電力が高くなる（Table3,4）。このように、ＴＦＣＳ（Table1）の一連のＴＦＣには、総送信電力の大きさに比例した順序（ｊ）が設定されている。【００２０】
ＴＦＣＳから選択されたＴＦＣが、ＳＴＦＣ（Selected TFC）である。ＴＦＣＳからｍ個のＴＦＣが選択される場合、ＳＴＦＣ（１）、ＳＴＦＣ（２）、…、ＳＴＦＣ（ｍ）、…、ＳＴＦＣ（Ｍ）（ｍ＝１,２,…,Ｍ）のように表される。【００２１】
ＴＦＣＳから最適ＴＦＣを探索するにあたり、まず、後述の式（１）の条件を満たすＳＴＦＣ（ｍ）を決定する。【００２２】
Ａ（ｍ）≦ＳＩＲ＜Ａ（ｍ＋１）  …（１）【００２３】
式（１）において、Ａ（ｍ）は、任意のＳＴＦＣ（ｍ）に対応するＳＩＲ値であり、そのＳＴＦＣ（ｍ）に対し予め適切な値がＡ（ｍ）として定められる。図２のTable2に、ＳＴＦＣ（ｍ）及びＡ（ｍ）の組み合わせ例を示す。Table2において、例えば、Ａ（ｍ）がＡ（１）の場合、Ａ（ｍ＋１）はＡ（２）である。Table2の各行は、同図Table1の各行にあるＴＦＣ（ｊ）と対応する。【００２４】
上記式（１）に基づき決定されたＳＴＦＣ（ｍ）が、最適ＴＦＣを探索する際の起点に対応するものとなる。すなわち、図２のTable1から最適ＴＦＣを探索する場合に、Table2における上記のＳＴＦＣ（ｍ）に対応するTable1のＴＦＣ（ｊ）が、探索の起点となる。【００２５】
次に、起点となるＴＦＣの総送信電力を計算する。そして、その値が最大許容送信電力を超える場合（Ａ）と超えない場合（Ｂ）とに応じて、最適ＴＦＣの探索方向が決定される。探索方向とは、すなわちTable1から最適ＴＦＣとしてのＴＦＣ（ｊ）を探索する際のｊの推移を指す。具体的には、ｊが大きくなる方向（昇順）、及び、ｊが小さくなる方向（降順）である。【００２６】
（Ａ）起点の総送信電力が最大許容送信電力を超える場合
この場合、起点からＴＦＣ（ｊ）を降順で検索する。この探索方向は、総送信電力が小さくなる方向に相当する。まず、ＳＴＦＣ（ｍ）に対応するＴＦＣ（ｊ）を起点として認識した後、この起点よりｊが１つ小さいＴＦＣ（ｊ−１）の総送信電力を計算する。ＴＦＣ（ｊ−１）の総送信電力が最大許容送信電力を超えるならば、次にＴＦＣ（ｊ−２）の総送信電力を計算する。ＴＦＣ（ｊ−２）の総送信電力が最大許容送信電力を超えるならば、次にＴＦＣ（ｊ−３）の総送信電力を計算する。以下同様に行い、ＴＦＣ（ｊ−Ｋ）において初めて総送信電力が最大許容送信電力以下となった場合、このＴＦＣ（ｊ−Ｋ）を最適なＴＦＣとして選択する。【００２７】
（Ｂ）起点の総送信電力が最大許容送信電力以下の場合
この場合、起点からＴＦＣ（ｊ）を昇順で検索する。この探索方向は、総送信電力が大きくなる方向に相当する。まず、式（１）に基づき決定したＳＴＦＣ（ｍ）に対応するＴＦＣ（ｊ）を起点として認識した後、この起点よりｊが１つ大きいＴＦＣ（ｊ＋１）の総送信電力を計算する。ＴＦＣ（ｊ＋１）の総送信電力が最大許容送信電力以下ならば、次にＴＦＣ（ｊ＋２）の総送信電力を計算する。ＴＦＣ（ｊ＋２）の総送信電力が最大許容送信電力以下ならば、次にＴＦＣ（ｊ＋３）の総送信電力を計算する。以下同様に行い、ＴＦＣ（ｊ＋Ｌ）において初めて総送信電力が最大許容送信電力を超えた場合、その１つ手前のＴＦＣ（ｊ＋Ｌ−１）を最適なＴＦＣとして選択する。【００２８】
上記制御により、（Ａ）及び（Ｂ）の何れの場合であっても、最大許容送信電力以下であり且つこの最大許容送信電力に最も近い値の総送信電力に対応するＴＦＣが、最適ＴＦＣとして選択される。
【実施例】
【００２９】
本発明の実施例の構成について図１を参照して説明する。本実施例のＴＦＣ選択装置100は、以下の部分から構成される。これらの各部分は、プログラム制御によって実現することもできるし、ＡＳＩＣ（Application Specific Integrated Circuit）等によるハードウェアで構成することもできる。【００３０】
総送信電力計算部101は、総送信電力104を計算するブロックである。総送信電力計算部101は、ＴＦＣＳ103、最適ＴＦＣ探索の起点に対応するＳＴＦＣ（ｍ）111、及び、最適ＴＦＣ探索の方向を示す探索方向信号106を入力とし、探索中のＴＦＣの総送信電力104を出力する。【００３１】
ＴＦＣ選択部102は、総送信電力104と規定の最大許容送信電力との比較により、最適ＴＦＣ105を決定するブロックである。また、ＴＦＣ選択部102は、探索の起点となるＴＦＣの総送信電力104の値に応じて探索方向信号106を生成し、これを総送信電力計算部101へ供給する。探索方向信号106の値は、ＴＦＣ（ｊ）を昇順に探索する場合は「１」であり、降順に探索する場合は「０」である。【００３２】
ＳＩＲ計算部107は、受信データから得られたＣＰＩＣＨシンボル109を用いてＳＩＲ110を計算するブロックである。【００３３】
変換部108は、前述の式（１）に基づいて、ＳＩＲ110をＳＴＦＣ（ｍ）111と対応付けるブロックである。変換部108は、ＳＩＲ110を入力とし、ＳＴＦＣ（ｍ）111を出力する。【００３４】
次に本実施例の動作について、図１と、図３及び図４に示すフローチャートを参照して説明する。【００３５】
ＳＩＲ計算部107が、ＣＰＩＣＨシンボル109を用いてＳＩＲ110を計算する（図３：ステップS1）。【００３６】
変換部108が、式（１）に基づいてＳＩＲ110に対応するＳＴＦＣ（ｍ）111を決定する（ステップS2）。【００３７】
総送信電力計算部101が、ＳＴＦＣ（ｍ）111に対応するＴＦＣ（ｐ）を探索の起点としてＴＦＣＳ103から求める（ステップS3）。【００３８】
総送信電力計算部101が、起点となるＴＦＣ（ｐ）の総送信電力104を計算する（ステップS4）。【００３９】
ＴＦＣ選択部102において、起点のＴＦＣ（ｐ）の総送信電力104が最大許容送信電力を超えるか否かを判定する（図４：ステップS5）。【００４０】
起点の総送信電力104が最大許容送信電力を超える場合（ステップS5：Yes、ステップS51：Yes）、ＴＦＣ選択部102は、降順の探索方向に対応する「０」の探索方向信号106を出力する。また、探索当初ではなく、前回の探索方向信号106が「０」の場合（ステップS53：「０」）も「０」の探索方向信号106を出力する。一方、前回の探索方向信号106が「１」の場合（ステップS53：「１」）、ＴＦＣ（ｐ−１）を最適ＴＦＣ105として出力する（ステップS54）。【００４１】
上記アルゴリズムにより、起点の総送信電力104が最大許容送信電力を超える場合に、探索中のＴＦＣの総送信電力104が初めて最大許容送信電力を下回るというタイミングを検知することができる。そして、そのタイミングでのＴＦＣを最適ＴＦＣとして得ることができる。【００４２】
起点の総送信電力104が最大許容送信電力以下である場合（ステップS5：No、ステップS55：Yes）、ＴＦＣ選択部102は、昇順の探索方向に対応する「１」の探索方向信号106を出力する。また、探索当初ではなく、前回の探索方向信号106が「１」の場合（ステップS57：「１」）も「１」の探索方向信号106を出力する。一方、前回の探索方向信号106が「０」の場合（ステップS57：「０」）、ＴＦＣ（ｐ）を最適ＴＦＣ105として出力する（ステップS58）。【００４３】
上記アルゴリズムにより、起点の総送信電力104が最大許容送信電力以下である場合に、探索中のＴＦＣの総送信電力104が、最大許容送信電力以下であり且つ最大許容送信電力に最も近似する値をとるというタイミングを検知することができる。そして、そのタイミングでのＴＦＣを最適ＴＦＣとして得ることができる。【００４４】
総送信電力計算部101は、ＴＦＣ選択部102からの探索方向信号106が「０」の場合（ステップS6：「０」）、ＴＦＣ（ｐ）に対し、降順の「ｐ＝ｐ−１」により総送信電力104を計算する（ステップS61、図３：ステップS4）。また、探索方向信号106が「１」の場合は（ステップS6：「１」）、ＴＦＣ（ｐ）に対し、昇順の「ｐ＝ｐ＋１」により総送信電力104を計算する（ステップS62、図３：ステップS4）。【００４５】
ここで、図１〜図４を参照して上記動作の具体例を説明する。本例では、最大許容送信電力は「２３」であり、ＴＦＣの数量Ｎは「９」であるとする。また、探索方向信号106が「０」の場合（Ａ）、総送信電力104が図２のTable3のように算出され、探索方向信号106が「１」の場合（Ｂ）、総送信電力104が図２のTable4のように算出されるものとする。【００４６】
（Ａ）探索方向信号106が「０」の場合
ステップS1（図３）において計算したＳＩＲ110が「２１」であったとする。【００４７】
ステップS2において、図２のTable2より、「Ａ（２）＜ＳＩＲ110」であることがわかる。よって、探索の起点に対応するＳＴＦＣ（ｍ）111としてＳＴＦＣ（２）が得られる。【００４８】
ステップS3において、Table1とTable2より、ＳＴＦＣ（２）がＴＦＣ（７）に対応することがわかる。よって、「ｐ＝ｊ＝７」となり、探索の起点であるＴＦＣ（ｐ）がＴＦＣ（７）であると認識される。【００４９】
ステップS4で計算されたＴＦＣ（７）の総送信電力104は、Table3の例では「２９」である。【００５０】
ステップS5では、ＴＦＣ（７）の総送信電力「２９」が最大許容送信電力「２３」を超えると判断され、ステップS52により「０」の探索方向信号106が出力される。【００５１】
ステップS6において探索方向が「０」と判断されると、ステップS61による「ｐ＝ｐ−１＝６」に基づき、ステップS4にてＴＦＣ（６）の総送信電力104が算出される。すなわち、起点のＴＦＣ（７）に続いて、ＴＦＣ（６）が検査される。【００５２】
ステップS4で計算されたＴＦＣ（６）の総送信電力104は、図２のTable3の例では「２５」である。【００５３】
ステップS5では、ＴＦＣ（６）の総送信電力「２５」が最大許容送信電力「２３」を超えると判断される。前回のＴＦＣ（７）での探索方向信号106が「０」であったため、ステップS53の判断により、今回のＴＦＣ（６）についても「０」の探索方向信号106が出力される。【００５４】
ステップS6において探索方向が「０」と判断されると、ステップS61による「ｐ＝ｐ−１＝５」に基づき、ステップS4にてＴＦＣ（５）の総送信電力104が算出される。すなわち、ＴＦＣ（６）に続いてＴＦＣ（５）が検査される。【００５５】
ステップS4で計算されたＴＦＣ（５）の総送信電力104は、図２のTable3の例では「２１」である。【００５６】
ステップS5では、ＴＦＣ（５）の総送信電力「２１」が最大許容送信電力「２３」よりも小さいと判断される。ここで、前回のＴＦＣ（６）での探索方向信号106は「０」であった。よって、ステップS57及びS58により、ＴＦＣ（ｐ）、すなわち現時点の検査対象であるＴＦＣ（５）が、最適ＴＦＣ105として出力される。このように、総送信電力が最大許容送信電力を初めて下回ったときのＴＦＣが、最適ＴＦＣ105として検出される。【００５７】
（Ｂ）探索方向信号106が「１」の場合
この場合、前述したように、総送信電力104が図２のTable4のように算出される。まず、ステップS1で計算したＳＩＲ110が「２１」であったとする。【００５８】
ステップS2では、Table2より、「Ａ（２）＜ＳＩＲ110」であることがわかる。よって、起点に対応するＳＴＦＣ（ｍ）111はＳＴＦＣ（２）となる。【００５９】
ステップS3では、Table1とTable2より、ＳＴＦＣ（２）がＴＦＣ（７）に対応することがわかる。よって、「ｐ＝ｊ＝７」となり、探索の起点であるＴＦＣ（ｐ）がＴＦＣ（７）であると認識される。【００６０】
ステップS4で計算されたＴＦＣ（７）の総送信電力104は、Table4の例では「１９」である。【００６１】
ステップS5では、ＴＦＣ（７）の総送信電力「１９」が最大許容送信電力「２３」より小さいと判断され、ステップS55により「１」の探索方向信号106が出力される。【００６２】
ステップS6において探索方向が「１」と判断されると、ステップS62による「ｐ＝ｐ＋１＝８」に基づき、ステップS4にてＴＦＣ（８）の総送信電力104が算出される。すなわち、起点のＴＦＣ（７）に続いて、ＴＦＣ（８）が検査される。【００６３】
ステップS4で計算されたＴＦＣ（８）の総送信電力104は、Table4の例では「２２」である。【００６４】
ステップS5では、ＴＦＣ（８）の総送信電力「２２」が最大許容送信電力「２３」より小さいと判断される。前回のＴＦＣ（７）での探索方向信号106が「１」であったため、ステップS57の判断により、今回のＴＦＣ（８）についても「１」の探索方向信号106が出力される。【００６５】
ステップS6において探索方向が「１」と判断されると、ステップS62による「ｐ＝ｐ＋１＝９」に基づき、ステップS4にてＴＦＣ（９）の総送信電力104が算出される。すなわち、ＴＦＣ（８）に続いてＴＦＣ（９）が検査される。【００６６】
ステップS4で計算されたＴＦＣ（９）の総送信電力104は、Table4の例では「２５」である。【００６７】
ステップS5では、ＴＦＣ（９）の総送信電力「２５」が最大許容送信電力「２３」を超えると判断される。ここで、前回のＴＦＣ（８）での探索方向信号106は「１」であった。よって、ステップS53及びS54により、ＴＦＣ（ｐ−１）、すなわち前回の検査対象のＴＦＣ（８）が、最適ＴＦＣ105として出力される。このように、総送信電力が最大許容送信電力以下の近似値をとるタイミングでのＴＦＣが、最適ＴＦＣ105として検出される。【００６８】
図５〜図７を参照して説明した一般的な方法では、ＴＦＣＳを構成する９個のＴＦＣすべてに対して、総送信電力計算を行う必要がある。これに対し、例えば上記実施例では、９個のＴＦＣのうち、総送信電力計算の対象は３個である。このように計算対象が低減されるのは、ＴＦＣＳから最適ＴＦＣを任意に探索することに替えて、探索に先立ち、その探索場所の目安となる起点を設定することによる。【００６９】
したがって、上記実施形態によれば、総送信電力計算及びＴＦＣ選択に必要な計算量が削減される。これにより、数十〜数百個のＴＦＣで構成されるような大規模のＴＦＣＳであっても、その中から最適ＴＦＣを効率よく探索することができる。また、探索を効率化するために並列回路を設けることは不要であるから、回路規模の大型化を防止することができる。【００７０】
上記実施例では、ＴＦＣＳ（Table1）を探索する際の探索方向信号が、起点から昇順または降順といった１方向を示すものであったが、本発明に係る探索方向はこれに限定されない。例えば、起点から２方向（昇順及び降順）のそれぞれで所定数のＴＦＣを検査し、その検査結果に基づき最適ＴＦＣを選定するという形態でもよい。これにより、起点付近のＴＦＣを検査することができる。
【産業上の利用可能性】
【００７１】
本発明は、ＣＤＭＡ方式の移動通信システムにおける移動端末及び基地局に利用できる。また、本発明は、上記実施形態の動作に対応するコンピュータプログラム、及び、そのプログラムを記憶した記録媒体として実施してもよい。その場合、コンピュータの処理時間を短縮することができる。
【図１】
2008078550.tif 000003
【図２】
2008078550.tif 000004
【図３】
2008078550.tif 000005
【図４】
2008078550.tif 000006
【図５】
2008078550.tif 000007
【図６】
2008078550.tif 000008
【図７】
2008078550.tif 000009
【国際調査報告】
2008078550.tif 000010
2008078550.tif 000011
2008078550.tif 000012
2008078550.tif 000013